(57)【要約】【課題】リードタブ組立体及びそれを具備した電池モジュールを提供する。【解決手段】一方向に沿って延長される第１リードタブと、第１リードタブと同一方向に沿って延長される第２リードタブと、第１リードタブと第２リードタブとの間に介在されて第１リードタブ及び第２リードタブと電気的に連結される温度素子と、第１リードタブ及び第２リードタブそれぞれの少なくとも一部と温度素子とを収容する絶縁部材と、を含むリードタブ組立体、並びにそれ含む電池モジュールである。【選択図】図２
2014053283.tif 000002
【特許請求の範囲】
【請求項１】
充放電が可能な単位電池と、
前記単位電池を電気的に連結するリードタブ組立体と、を含み、
前記リードタブ組立体は、
前記単位電池のうち第１単位電池と電気的に連結される第１リードタブと、
前記第１リードタブの長手方向と同一方向に沿って延長され、前記単位電池のうち第２単位電池と電気的に連結される第２リードタブと、
前記第１リードタブと前記第２リードタブとの間に介在され、前記第１リードタブ及び第２リードタブと電気的に連結される温度素子と、
前記第１リードタブ及び前記第２リードタブそれぞれの少なくとも一部と、前記温度素子とを収容する絶縁部材と、を含む電池モジュール。
【請求項２】
前記絶縁部材は、前記第２リードタブを貫通しながら、前記第２リードタブの一面を、前記絶縁部材に密着させる第１固定部を含むことを特徴とする請求項１に記載の電池モジュール。
【請求項３】
前記第１固定部は、
前記第２リードタブを貫通するピラー部と、
前記ピラー部に対して実質的に垂直に形成され、前記第２リードタブの他面と接触するブロッキング部と、を含むことを特徴とする請求項２に記載の電池モジュール。
【請求項４】
前記ブロッキング部は、熱融着によって形成されたことを特徴とする請求項３に記載の電池モジュール。
【請求項５】
第３単位電池をさらに含み、
前記リードタブ組立体は、前記第１単位電池及び前記第３単位電池を電気的に連結する第３リードタブをさらに含むことを特徴とする請求項１から４の何れか一項に記載の電池モジュール。
【請求項６】
前記第１リードタブの一端部は、第１溝を含み、
前記第３リードタブの一端部は、第２溝を含み、
前記第１溝及び前記第２溝は、隣接するように配置されてホールを形成することを特徴とする請求項５に記載の電池モジュール。
【請求項７】
前記絶縁部材は、前記第１溝及び前記第２溝が形成した前記ホールを貫通しながら、前記第１リードタブ及び前記第３リードタブを、前記絶縁部材に密着させる第２固定部を含むことを特徴とする請求項６に記載の電池モジュール。
【請求項８】
前記第２固定部は、
前記ホールを貫通するピラー部と、
前記ピラー部に対して実質的に垂直に形成されるブロッキング部と、を含むことを特徴とする請求項７に記載の電池モジュール。
【請求項９】
前記第１溝と前記第２溝とは、相互離隔された状態で絶縁フィルムによって覆い包まれていることを特徴とする請求項６に記載の電池モジュール。
【請求項１０】
前記絶縁部材は、前記温度素子と対応する領域に形成された開口を含むことを特徴とする請求項１から９の何れか一項に記載の電池モジュール。
【請求項１１】
前記絶縁部材は、前記第１リードタブと前記第１単位電池との溶接のための開口を含むことを特徴とする請求項１に記載の電池モジュール。
【請求項１２】
前記絶縁部材は、
前記第１リードタブ及び第２リードタブそれぞれの少なくとも一部と、前記温度素子とを収容する下部面と、
前記下部面に対して垂直に延長された側壁と、を含むことを特徴とする請求項１から１１の何れか一項に記載の電池モジュール。
【請求項１３】
前記第１リードタブは、前記第１単位電池の第１電極と連結され、
前記第２リードタブは、前記第２単位電池の第２電極と連結され、
前記第１単位電池の第１電極、及び前記第２単位電池の第２電極は、互いに反対の極性を有することを特徴とする請求項１から１２の何れか一項に記載の電池モジュール。
【請求項１４】
前記第１電極と前記第２電極とは、いずれも単位電池の上部面に形成されたことを特徴とする請求項１３に記載の電池モジュール。
【請求項１５】
前記電池モジュールから電流を外部に取り出すための第１大電流リードを含み、
前記第１大電流リードの少なくとも一部分は、互いに重畳されるように折り曲げられたことを特徴とする請求項１から１４の何れか一項に記載の電池モジュール。
【請求項１６】
単位電池を電気的に連結するリードタブ組立体であり、
一方向に沿って延長される第１リードタブと、
前記第１リードタブと同一方向に沿って延長される第２リードタブと、
前記第１リードタブと前記第２リードタブとの間に介在され、前記第１リードタブ及び第２リードタブと電気的に連結される温度素子と、
前記第１リードタブ及び第２リードタブそれぞれの少なくとも一部と、前記温度素子とを収容する絶縁部材と、を含むリードタブ組立体。
【請求項１７】
前記第１リードタブを中心に、前記第２リードタブと反対方向に具備され、前記第１リードタブと同一方向に延長された第３リードタブをさらに含むことを特徴とする請求項１６に記載のリードタブ組立体。
【請求項１８】
前記第１リードタブの一端部は、前記温度素子と溶接され、前記第１リードタブの他の端部は、第１溝を含み、
前記第３リードタブの一端部は、前記第１溝と隣接した位置に形成された第２溝を含むことを特徴とする請求項１７に記載のリードタブ組立体。
【請求項１９】
前記第１溝及び前記第２溝は、隣接するように配置されてホールを形成し、
前記絶縁部材は、前記ホールを貫通しながら、前記第１リードタブ及び第３リードタブを前記絶縁部材と密着させる固定部を含むことを特徴とする請求項１８に記載のリードタブ組立体。
【請求項２０】
前記第２リードタブは、ホールを含み、
前記絶縁部材は、前記ホールを貫通しながら、前記第２リードタブを前記絶縁部材と密着させる固定部を含むことを特徴とする請求項１６に記載のリードタブ組立体。
【請求項２１】
請求項１６から２０の何れか一項に記載のリードタブ組立体と、
前記リードタブ組立体によって電気的に連結された多数の単位電池と、を含むことを特徴とする電池モジュール。
【発明の詳細な説明】
【技術分野】
【０００１】
本発明は、リードタブ組立体及びそれを具備した電池モジュールに関する。
【背景技術】
【０００２】
無線インターネットや通信技術の発達によって、電源供給装置なしに、電池を使用して運用可能な携帯用コンピュータの普及が急速に増えている。一般的に、携帯用コンピュータは、小型で携帯可能であって簡便であり、移動性にすぐれているという長所があり、業務用または個人用に広く利用されている。携帯用コンピュータが電源供給装置にとらわれず、多くの場所で使用されるために、内蔵型電池パックを具備することができる。また、内蔵型電池パックは、充放電を繰り返して使用することができる単位電池を具備することができる。
【先行技術文献】
【特許文献】
【０００３】
【特許文献１】特開２００８−２３５０２８号公報
【特許文献２】特開２０１２−１１３９７３号公報
【特許文献３】特開２００７−２７３１７９号公報
【発明の概要】
【発明が解決しようとする課題】
【０００４】
本発明の一実施形態は、リードタブ組立体及びそれを具備した電池モジュールの構造に関するものである。
【課題を解決するための手段】
【０００５】
本発明の一側面によれば、充放電が可能な単位電池と、前記単位電池を電気的に連結するリードタブ組立体と、を含み、前記リードタブ組立体は、前記単位電池のうち第１単位電池と電気的に連結される第１リードタブ；前記第１リードタブの長手方向と同一の方向に沿って延長され、前記単位電池のうち第２単位電池と電気的に連結される第２リードタブ；前記第１リードタブと前記第２リードタブとの間に介在され、前記第１リードタブ及び第２リードタブと電気的に連結される温度素子；並びに前記第１リードタブ及び第２リードタブそれぞれの少なくとも一部と、前記温度素子とを収容する絶縁部材；を含む電池モジュールを提供する。
【０００６】
本発明の一特徴によれば、前記絶縁部材は、前記第２リードタブを貫通しながら、前記第２リードタブの一面を、前記絶縁部材に密着させる第１固定部を含んでもよい。
【０００７】
本発明の他の特徴によれば、前記第１固定部は、前記第２リードタブを貫通するピラー部と、前記ピラー部に対して実質的に垂直に形成され、前記第２リードタブの他面と接触するブロッキング部と、を含んでもよい。
【０００８】
本発明のさらに他の特徴によれば、前記ブロッキング部は、熱融着によって形成されてもよい。
【０００９】
本発明のさらに他の特徴によれば、第３単位電池をさらに含み、前記リードタブ組立体は、前記第１単位電池及び前記第３単位電池を電気的に連結する第３リードタブをさらに含んでもよい。
【００１０】
本発明のさらに他の特徴によれば、前記第１リードタブの一端部は、第１溝を含み、前記第３リードタブの一端部は、第２溝を含み、前記第１溝及び第２溝は、隣接するように配置されてホールを形成することができる。
【００１１】
本発明のさらに他の特徴によれば、前記絶縁部材は、前記第１溝及び第２溝が形成した前記ホールを貫通しながら、前記第１リードタブ及び前記第３リードタブを、前記絶縁部材に密着させる第２固定部を含んでもよい。
【００１２】
本発明のさらに他の特徴によれば、前記第２固定部は、前記ホールを貫通するピラー部と、前記ピラー部に対して実質的に垂直に形成されるブロッキング部と、を含んでもよい。
【００１３】
本発明のさらに他の特徴によれば、前記第１溝と前記第２溝は、相互離隔された状態で絶縁フィルムによって覆い包まれている。
【００１４】
本発明のさらに他の特徴によれば、前記絶縁部材は、前記温度素子と対応する領域に形成された開口を含んでもよい。
【００１５】
本発明のさらに他の特徴によれば、前記絶縁部材は、前記第１リードタブと前記第１単位電池との溶接のための開口を含んでもよい。
【００１６】
本発明のさらに他の特徴によれば、前記絶縁部材は、前記第１リードタブ及び第２リードタブそれぞれの少なくとも一部と、前記温度素子とを収容する下部面；並びに前記下部面に対して垂直に延長された側壁；を含んでもよい。
【００１７】
本発明のさらに他の特徴によれば、前記第１リードタブは、前記第１単位電池の第１電極と連結され、前記第２リードタブは、前記第２単位電池の第２電極と連結され、前記第１単位電池の第１電極、及び前記第２単位電池の第２電極は、互いに反対の極性を有することができる。
【００１８】
本発明のさらに他の特徴によれば、前記第１電極と前記第２電極は、いずれも単位電池の上部面に形成されてもよい。
【００１９】
本発明のさらに他の特徴によれば、前記電池モジュールから電流を外部に取り出すための第１大電流リードを含み、前記第１大電流リードの少なくとも一部分は、互いに重畳されるように折り曲げられてもよい。
【００２０】
本発明のさらに他の側面によれば、単位電池を電気的に連結するリードタブ組立体として、一方向に沿って延長される第１リードタブ；前記第１リードタブと同一方向に沿って延長される第２リードタブ；前記第１リードタブと前記第２リードタブとの間に介在され、前記第１リードタブ及び第２リードタブと電気的に連結される温度素子；並びに前記第１リードタブ及び第２リードタブそれぞれの少なくとも一部と、前記温度素子とを収容する絶縁部材；を含むリードタブ組立体を提供する。
【００２１】
本発明の一特徴によれば、前記第１リードタブを中心に、前記第２リードタブと反対方向に具備され、前記第１リードタブと同一方向に延長された第３リードタブをさらに含んでもよい。
【００２２】
本発明のさらに他の特徴によれば、前記第１リードタブの一端部は、前記温度素子と溶接され、前記第１リードタブの他の端部は、第１溝を含み、前記第３リードタブの一端部は、前記第１溝と隣接した位置に形成された第２溝を含んでもよい。
【００２３】
本発明のさらに他の特徴によれば、前記第１溝及び第２溝は、隣接するように配置されてホールを形成し、前記絶縁部材は、前記ホールを貫通しながら、前記第１リードタブ及び第３リードタブを前記絶縁部材と密着させる固定部を含んでもよい。
【００２４】
本発明の他の特徴によれば、前記第２リードタブは、ホールを含み、前記絶縁部材は、前記ホールを貫通しながら、前記第２リードタブを前記絶縁部材と密着させる固定部を含んでもよい。
【００２５】
本発明のさらに他の側面によれば、前述のようなリードタブ組立体と、前記リードタブ組立体によって電気的に連結された多数の単位電池と、を含む電池モジュールを提供する。
【発明の効果】
【００２６】
本発明の一実施形態によれば、単位電池を電気的に連結するリードタブ組立体に温度素子を挿入することにより、簡単な構造を介してそれぞれの単位電池の温度変化に対応することができる。
【００２７】
固定部のような比較的簡単な構造を介して、複数のリードタブを一体に連結することができるので、製造コスト節減及び時間短縮を行うことができる。
【図面の簡単な説明】
【００２８】
【図１】本発明の一実施形態による電池モジュールを概略的に示した分解斜視図である。
【図２】図１でのリードタブ組立体、第１大電流リード及び第２大電流リード、並びに単位電池の一部を抜粋して示した斜視図である。
【図３】図２で、絶縁部材、及び絶縁部材を中心に両側に配置されたリードタブを抜粋して示した分解斜視図である。
【図４】図３の部材が結合された状態を示した斜視図である。
【図５】図４のＶ−Ｖ線に沿って切り取った断面図である。
【図６】図２の第２大電流リードを抜粋して示した斜視図である。
【発明を実施するための形態】
【００２９】
本発明は、添付される図面と共に、詳細に説明されている実施形態を参照すれば、明確になるであろう。しかし、本発明は、以下で開示される実施形態に限定されるものではなく、互いに異なる多様な形態で具現され、ただし、本実施形態は、本発明の開示を完全なものにし、本発明が属する技術分野で当業者に、発明の範疇を完全に知らせるために提供されるものであり、本発明は、特許請求の範囲によって定義されるのみである。一方、本明細書で使われた用語は、実施形態を説明するためのものであり、本発明を制限しようとするものではない。本明細書で、単数形は、文言で特別に言及しない限り、複数形も含む。明細書で使用される「含む（ｃｏｍｐｒｉｓｅ）」及び／または「含むところの（ｃｏｍｐｒｉｓｉｎｇ）」は、言及された構成要素、段階、動作及び／または素子は、一つ以上の他の構成要素、段階、動作及び／または素子の存在または追加を排除するものではない。第１、第２のような用語は、多様な構成要素を説明するのに使用されるが、構成要素は、用語によって限定されるものではない。用語は、１つの構成要素を、他の構成要素から区別する目的のみに使用される。
【００３０】
図１は、本発明の一実施形態による電池モジュール１０を概略的に示した分解斜視図である。
【００３１】
図１を参照すれば、電池モジュール１０は、複数の単位電池１００、複数の単位電池１００の間に介在されるスペーサ２００、保護回路モジュール３００、及びリードタブ組立体４００を含んでもよい。
【００３２】
単位電池１００は、充放電が可能な二次電池であり、リチウムイオン電池から構成されてもよい。単位電池１００は、電極組立体（図示せず）、及び電極組立体を収容する缶１１０を含む。電極組立体は、正極板及び負極板、並びにそれらの間に介在されたセパレータを積層した後、ゼリーロール状に巻き取って作製することができる。缶は、金属性素材から製作されてもよい。例えば、缶は、アルミニウムまたはアルミニウム合金から形成されてもよいが、それらに限定されるものではない。単位電池１００の負極１１１と正極１１２は、同一の平面上、例えば、単位電池１００の上部面に具備されてもよい。
【００３３】
多数の単位電池１００は、一方向に沿って並んで（ｓｉｄｅ−ｂｙ−ｓｉｄｅ）配置されてもよい。単位電池１００は、負極１１１と正極１１２とが上部面に配置されるように並んで配置されてもよい。例えば、多数の単位電池１００は、リードタブ組立体４００によって直列連結される。
【００３４】
本実施形態では、３個の単位電池１００が直列連結されて１つの電池モジュール１０を構成する場合について説明したが、電池モジュール１０を構成する単位電池１００の個数は、それに制限されるものではなく、多様に構成されるということは言うまでもない。また、単位電池１００が並列連結されたり、あるいは直列及び並列に連結されてもよいことは言うまでもない。
【００３５】
スペーサ２００は、隣接する単位電池１００間に介在され、単位電池１００間を絶縁させることができる。前述のように、単位電池１００の外装材は、金属性素材の缶１１０から形成される場合、並んで配置される単位電池１００間の絶縁のために、スペーサ２００が介在されてもよい。スペーサ２００は、プラスチックのような絶縁性素材を含んでもよい。
【００３６】
保護回路モジュール３００は、多数の単位電池１００と電気的に連結される。保護回路モジュール３００は、リードタブ組立体４００によって、多数の単位電池１００と電気的に連結される。例えば、リードタブ組立体４００から突出した接続端子Ｃ１と、電池モジュール１０の大電流端子を形成する大電流リード４５１，４５２の接続端子Ｃ２とを介して、保護回路モジュール３００と多数の単位電池１００とが電気的に連結される。
【００３７】
保護回路モジュール３００は、単位電池１００の過充電、過放電、または過電流によって発生する過熱及び爆発を防止することができる。保護回路モジュール３００は、基板３１０、及び基板３１０の一側部または内部に実装される保護素子（図示せず）を含んでもよい。保護素子は、抵抗及びコンデンサのような受動素子や、電界トランジスタのような能動素子からなる安全素子、または集積回路が選択的に形成されてもよい。保護回路モジュール３００の一側部には、外部の電子機器に電力を供給するためのコネクタ３２０が具備されてもよい。
【００３８】
リードタブ組立体４００は、複数の単位電池１００を電気的に連結し、このために第１リードタブ４１０及び第２リードタブ４２０、温度素子４３０、及び絶縁部材４４０を含んでもよい。
【００３９】
第１リードタブ４１０は、隣接する単位電池１００のうちいずれか１つの単位電池１００と電気的に連結され、第２リードタブ４２０は、隣接する単位電池１００のうち他の１つの単位電池１００と電気的に連結され、第１リードタブ４１０と第２リードタブ４２０との間には、温度素子４３０が溶接されてもよい。温度素子４３０は、単位電池１００の温度が基準値を超える場合、電流を遮断するヒューズとしての機能を遂行することができる。例えば、温度素子４３０は、ＴＣＯ（ｔｈｅｒｍａｌ  ｃｕｔ  ｏｆｆ）であってもよい。
【００４０】
第１リードタブ４１０は、溶接を介して、隣接する単位電池１００のうちいずれか１つの単位電池１００の負極と電気的に連結され、第２リードタブ４２０は、溶接を介して、隣接する単位電池１００のうち残り１つの単位電池１００の正極と電気的に連結され、単位電池１００を直列連結することができる。本実施形態では、直列連結された場合を例示するが、並列で連結されてもよいことは言うまでもない。
【００４１】
絶縁部材４４０は、第１リードタブ４１０、温度素子４３０及び第２リードタブ４２０の少なくとも一部を収容することができる。絶縁部材４４０は、単位電池１００の上部面と、第１リードタブ４１０及び第２リードタブ４２０の下部面との間に介在されながら、第１リードタブ４１０及び第２リードタブ４２０を単位電池１００から絶縁させることができる。
【００４２】
第１大電流リード４５１及び第２大電流リード４５２は、リードタブ組立体４００によって電気的に連結された複数の単位電池１００の両端に位置することができる。例えば、第１大電流リード４５１は、最も右側に置かれた絶縁部材４４０上に位置することができ、第２大電流リード４５２は、リードタブ組立体４００の長手方向と同一方向に沿って延長され、単位電池１００の上部面に位置することができる。
【００４３】
狭い空間上にも、リードタブ組立体４００、第１大電流リード４５１及び第２大電流リード４５２が位置するように、第１リードタブ４１０第２リードタブ４２０、それらを含むリードタブ組立体４００、第１大電流リード４５１及び第２大電流リード４５２の幅（図１で、前後方向に沿う幅）は、単位電池１００の幅と同一であるか、あるいはそれより狭く形成されてもよい。
【００４４】
以下では、リードタブ組立体４００、第１大電流リード４５１及び第２大電流リード４５２の具体的構造及び電気的連結関係について、図２ないし図４を参照して説明する。
【００４５】
図２は、図１で、リードタブ組立体４００、第１大電流リード４５１、第２大電流リード４５２、及び単位電池１００の一部を抜粋して示した斜視図である。図２では、説明の便宜のために、複数の単位電池１００が第１単位電池１０１、第１単位電池１０１を挟んで両側に配置された第２単位電池１０２及び第３単位電池１０３で構成された場合について説明する。図２で点線は、溶接関係を示している。
【００４６】
図２を参照すれば、第１リードタブ４１０と第２リードタブ４２０は、リードタブ組立体４００の長手方向（左右方向）に沿って、交互に配置されてもよい。それぞれの第１リードタブ４１０は、単位電池１００の負極１１１に溶接され、それぞれの第２リードタブ４２０は、単位電池１００の正極１１２に溶接され、温度素子４３０は、第１リードタブ４１０と第２リードタブ４２０との間に溶接されてもよい。
【００４７】
以下では、説明の便宜のために、互いに異なる位置に配置された第１リードタブと第２リードタブとを区別するように、左側から右側の順に配置された第１リードタブ４１０を、４１１及び４１２の部材番号で説明し、第２リードタブ４２０を、４２１及び４２２の部材番号で説明する。
【００４８】
例えば、最も左側に具備された第１リードタブ４１１は、第３単位電池１０３の負極１１１に溶接され、温度素子４３０との溶接を媒介にして、第２リードタブ４２１と連結されてもよい。第２リードタブ４２１は、第１単位電池１０１の正極１１２に溶接されてもよい。
【００４９】
真ん中に具備された第１リードタブ４１２は、第１単位電池１０１の負極１１１に溶接され、温度素子４３０との溶接を媒介にして、第２リードタブ４２２と連結されてもよい。第２リードタブ４２２は、第２単位電池１０２の正極１１２に溶接されてもよい。
【００５０】
前述のような第１リードタブ４１１，４１２及び第２リードタブ４２１，４２２の連結を介して、第１単位電池１０１及び第２単位電池１０２、並びに第３単位電池１０３が直列連結されてもよい。
【００５１】
第１大電流リード４５１は、最も右側に具備された絶縁部材４４０上に位置することができる。最も右側に具備された第１リードタブ４１３は、第２単位電池１０２の負極１１１に溶接され、第１大電流リード４５１は、最も右側に具備された第１リードタブ４１３と電気的に連結され、負の極性を有することができる。第１大電流リード４５１と第１リードタブ４１３との間には温度素子４３０が溶接されてもよい。
【００５２】
第２大電流リード４５２は第３単位電池１０３の正極１１２に直接溶接されることにより、正の極性を有する。第２大電流リード４５２は、リードタブ組立体４００の長手方向に沿って長く延長されてもよい。
【００５３】
絶縁部材４４０は、第１リードタブ４１０、温度素子４３０、及び第２リードタブ４２０の少なくとも一部を収容することができる。絶縁部材４４０は、下部面４４１、及び下部面に対して垂直である方向、すなわち、上方を向いて延長された側壁４４２を含んでもよい。
【００５４】
絶縁部材４４０は、第１リードタブ４１０と対応する領域の一部が開放された第１開口ＯＰ１、及び温度素子４３０と対応する領域が開放された第２開口ＯＰ２を含んでもよい。第１開口ＯＰ１を介して、それぞれの第１リードタブ４１０は、単位電池１００の負極１１１に溶接され、温度素子４３０は、第２開口ＯＰ２を介して、単位電池１００と直接対向するように配置され、単位電池の温度変化に敏感に反応することができる。第２開口ＯＰ２は、温度変化が大きい単位電池１００の負極１１１と隣接するように形成される。
【００５５】
絶縁部材４４０は、第１リードタブ４１０及び第２リードタブ４２０を、絶縁部材４４０に固定させるための固定部４４３，４４４を含んでもよい。固定部４４３，４４４は、側壁と同一方向、すなわち、上方を向いて突き出してもよい。例えば、固定部４４３，４４４は、絶縁部材４４０の両端に、相互離隔されて配置された第１固定部４４３と、第２固定部４４４とを含んでもよい。
【００５６】
最も左側に配置された絶縁部材４４０の第１固定部４４３は、第１リードタブ４１１のホールＨ１と結合される。例えば、第１固定部４４３が、第１リードタブ４１１のホールＨ１を貫通した後、第１固定部４４３の上端に所定の熱を加える方式、例えば、熱融着方式によって、第１固定部４４３が第１リードタブ４１１を、絶縁部材４４０に固定させることができる。同様に、最も左側に配置された絶縁部材４４０の第２固定部４４４は、第２リードタブ４２１のホールＨ２を貫通した後、熱融着される。
【００５７】
真ん中に配置された絶縁部材４４０の第１固定部４４３は、第２リードタブ４２１と第１リードタブ４１２との間に形成されたホールＨ３に結合される。隣接するように配置された第１リードタブ４１２及び第２リードタブ４２１の端部は、相互離隔されるように配置された状態で、絶縁フィルム５００が覆い包みながらホールＨ３を形成することができ、第１固定部４４３は、このように形成されたホールＨ３を貫通した後、熱融着される。同様に、真ん中に配置された絶縁部材４４０の第２固定部４４４は、第２リードタブ４２２のホールＨ２を貫通した後、熱融着される。
【００５８】
最も右側に配置された絶縁部材４４０の第１固定部４４３は、第２リードタブ４２２と第１リードタブ４１３との間に形成されたホールＨ３に結合され、第２固定部４４４は、第１大電流リード４５１に形成されたホールＨ４に結合される。
【００５９】
図３は、図２から、絶縁部材４４０を中心に配置されたリードタブを抜粋して示した分解斜視図であり、図４は、図３の部材が結合された状態を示した斜視図である。図３は、第１固定部４４３及び第２固定部４４４によって、第１リードタブ４１２及び第２リードタブ４２１，４２２が絶縁部材４４０に固定される前の状態であり、図４は固定された後の状態である。
【００６０】
図３及び図４は、図２で真ん中に配置された絶縁部材４４０、絶縁部材４４０上に置かれる第１リードタブ４１２、第１リードタブ４１２の右側に置かれる温度素子４３０及び第２リードタブ４２２、並びに第１リードタブ４１２の左側に置かれる第２リードタブ４２１を抜粋して示したのである。
【００６１】
図３及び図４を参照すれば、第１リードタブ４１２と、右側の第２リードタブ４２２は、真ん中の温度素子４３０を介在させたまま電気的に連結されてもよい。第１リードタブ４１２は、絶縁部材４４０の第１開口ＯＰ１と対応する位置に配置され、温度素子４３０は、絶縁部材４４０の第２開口ＯＰ２と対応する位置に配置されてもよい。右側の第２リードタブ４２２に形成されたホールＨ２は、絶縁部材４４０に形成された第２固定部４４４に結合されてもよい。例えば、図３に図示された第２固定部４４４が、第２リードタブ４２２のホールを貫通した後で熱融着されつつ、図４に図示されたような形状を有することができる。すなわち、第２固定部４４４の上部は、熱融着されつつ、第２リードタブ４２２の上部面に接触されてもよい。
【００６２】
第１リードタブ４１２の左側端部と、左側の第２リードタブ４２１の右側端部は、それぞれ溝Ｇ１，Ｇ２を具備することができる。第１リードタブ４１２の溝Ｇ１と、左側の第２リードタブ４２１の溝Ｇ２は、互いに隣接するように配置されながら、１つのホールＨ３を形成することができる。
【００６３】
第１リードタブ４１２及び第２リードタブ４２１は、電気的に連結されないように、相互離隔されたまま、絶縁フィルム５００によって覆い包まれる。例えば、絶縁フィルム５００は、ポリイミド（ＰＩ）のような絶縁材を含むテープであり、第１リードタブ４１２及び第２リードタブ４２１を真ん中に置いて上下部で接着されてもよい。
【００６４】
第１リードタブ４１２と、左側の第２リードタブ４２１とが形成したホールＨ３は、絶縁部材４４０の第１固定部４４３と結合される。例えば、図３に図示された第１固定部４４３は、第１リードタブ４１２と、左側の第２リードタブ４２１との溝Ｇ１，Ｇ２が隣接するように配置されながら形成されたホールＨ３を貫通した後で熱融着されつつ、図４に図示されたような形状を有することができる。すなわち、第１固定部４４３の上部は、熱融着されつつ、第１リードタブ４１２及び左側の第２リードタブ４２１の上部面に接触されてもよい。
【００６５】
図５は、図４のＶ−Ｖ線に沿って切り取った断面図である。
【００６６】
図５を参照すれば、第１固定部４４３と第２固定部４４４は、それぞれピラー部４４３−１，４４４−１、及びピラー部に対して実質的に垂直であるブロッキング部４４３−２，４４４−２を含んでもよい。
【００６７】
第１固定部４４３のピラー部４４３−１は、絶縁部材４４０の下部面から上部に向けて延長され、図３及び図４を参照して説明したように、第１リードタブ４１２の溝Ｇ１と、左側の第２リードタブ４２１の溝Ｇ２とが隣接するように配置されながら形成されたホールＨ３を貫通することができる。
【００６８】
第１固定部４４３のブロッキング部４４３−２は、第１固定部４４３が熱融着されつつ形成されたものであり、絶縁フィルム５００によって機械的に一体化された第１リードタブ４１２と、左側の第２リードタブ４２１とが、第１固定部４４３から離脱されることを防止する。例えば、ブロッキング部４４３−２の下部面が、第１リードタブ４１２の上部面、及び左側の第２リードタブ４２１の上部面と対向するように配置されつつ、絶縁フィルム５００と接触しながら、第１リードタブ４１２及び第２リードタブ４２１の下部面は、絶縁部材４４０に密着されてもよい。
【００６９】
第２固定部４４４のピラー部４４４−１は、絶縁部材４４０の下部面から上部に向けて延長され、図３及び図４を参照して説明したように、右側の第２リードタブ４２２に形成されたホールＨ２を貫通することができる。
【００７０】
第２固定部４４４のブロッキング部４４４−２は、第２固定部４４４が熱融着されつつ形成されたものであり、右側の第２リードタブ４２２が、第２固定部４４４から離脱されることを防止するように、右側の第２リードタブ４２２の上部面と対向するように配置されつつ接触されてもよい。第２固定部４４４によって、右側の第２リードタブ４２２の下部面は、絶縁部材４４０に密着されてもよい。
【００７１】
図６は、図２に図示された第２大電流リード４５２を抜粋して示した斜視図である。
【００７２】
図６を参照すれば、第２大電流リード４５２は、リードタブと同一方向に延長された形態であり、少なくとも一部分（Ａ部分）は、複数層に形成されてもよい。第２大電流リード４５２において、単位電池１００に直接溶接される部分は、ほぼＺ字形になるように折り曲げられてもよい。第２大電流リード４５２の溶接部分が折り曲げられつつ、第２大電流リード４５２は、単位電池１００の上部面上の空間に配置されてもよい。本実施形態では、第２大電流リード４５２の一部分（Ａ部分）が３層に折り曲げられる場合について説明したが、２層に折り曲げられる構造でもあるということは言うまでもない。
【００７３】
たとえ本発明が前述の望ましい実施形態と係わって説明したにしても、発明の要旨及び範囲からはずれることなく、多様な修正や変形を行うことが可能である。従って、特許請求の範囲には、本発明の要旨に属する限り、このような修正や変形を含むものである。
【産業上の利用可能性】
【００７４】
本発明のリードタブ組立体及びそれを具備した電池モジュールは、例えば、電池関連の技術分野に効果的に適用可能である。
【符号の説明】
【００７５】
１０    電池モジュール
１００    単位電池
１０１    第１単位電池
１０２    第２単位電池
１０３    第３単位電池
１１０    缶
１１１    負極
１１２    正極
２００    スペーサ
３００    保護回路モジュール
３１０    基板
３２０    コネクタ
４００    リードタブ組立体
４１０    第１リードタブ
４１１    左側の第１リードタブ
４１２    中央の第１リードタブ
４１３    右側の第１リードタブ
４２０    第２リードタブ
４２１    左側の第２リードタブ
４２２    右側の第２リードタブ
４３０    温度素子
４４０    絶縁部材
４４１    下部面
４４２    側壁
４４３    第１固定部
４４３−１，４４４−１    ピラー部
４４３−２，４４４−２    ブロッキング部
４４４    第２固定部
４５１    第１大電流リード
４５２    第２大電流リード
５００    絶縁フィルム
Ｃ１，Ｃ２    接続端子
Ｇ１，Ｇ２    溝
Ｈ１，Ｈ２，Ｈ３，Ｈ４    ホール
ＯＰ１    第１開口
ＯＰ２    第２開口
【図１】
2014053283.tif 000003
【図２】
2014053283.tif 000004
【図３】
2014053283.tif 000005
【図４】
2014053283.tif 000006
【図５】
2014053283.tif 000007
【図６】
2014053283.tif 000008